(57)【要約】【課題】特殊車両における設備開閉状態を一目で把握することができる警告表示パネルを提供する。【解決手段】開閉状態が監視される前記特殊車両の設備に対応した複数の点灯位置を含む特殊車両のイラストが描かれた表示板と、表示板の裏面側に配置された警告制御板と、複数の点灯位置と対応した位置に配置された複数の光源とを備え、特殊車両の設備の開閉状態に基づいて、開状態である特殊車両の設備に対応する点灯位置だけが点灯するように、警告制御板によって、複数の光源の点灯を制御する。【選択図】図１
0003172215.tif 000002
【実用新案登録請求の範囲】
【請求項１】
特殊車両に取り付けられ設備開閉状態を表示する特殊車両用警告表示パネルであって、
開閉状態が監視される前記特殊車両の設備に対応した複数の点灯位置を含む特殊車両のイラストが描かれた表示板と、
前記表示板の裏面側に配置された警告制御板と、
前記複数の点灯位置と対応した位置に配置された複数の光源と、
を備え、
前記特殊車両の設備の開閉状態に基づいて、開状態である前記特殊車両の設備に対応する点灯位置だけが点灯するように、前記警告制御板によって、前記複数の光源の点灯が制御されることを特徴とする特殊車両用警告表示パネル。
【請求項２】
前記警告制御基板が、警報音発生手段を備えることを特徴とする請求項１に記載の特殊車両用警告表示パネル。
【考案の詳細な説明】
【技術分野】
【０００１】
本考案は、車両などに用いられる警告表示パネルに関し、詳しくは、例えば、災害対策車、テレビ中継車などの特装車やキャンピングカーなどの特殊車両に備え付けられ、各種ドアの閉め忘れや、拡幅部やジャッキの格納忘れなどが生じている場合に、どの設備に問題が生じているかを一目で分かるようにした特殊車両用警告表示パネルに関する。
【背景技術】
【０００２】
従来から、車両のドアが開いた状態であることを示す警告表示灯や、キャンピングカーなどに備えられている拡幅部やジャッキの格納忘れを警告する警告表示灯などが使用されている。
【０００３】
これらの警告表示灯は、例えば、車両のインストルメントパネル（計器板）に取り付けられたハロゲン灯やＬＥＤランプなどによって構成され、車両のドアが開いた状態である場合に、警告表示灯が点灯し、車両のドアが開いた状態であることを車両の運転手等に知らせることができる。
【考案の概要】
【考案が解決しようとする課題】
【０００４】
しかしながら、例えば、災害対策車、テレビ中継車などの特装車やキャンピングカーなどの特殊車両は、多数のドアを備えているとともに、車両によっては、拡幅部や複数のジャッキなどを備えており、従来の警告表示灯では、いずれかのドアが開いたままになっていることは確認できたが、どの箇所のドアが開いたままになっているのかを一目で確認することはできなかった。
【０００５】
このため、運転手等のユーザーは、ドアの開閉状態や、拡幅部やジャッキなどの格納状態など（以下、「設備開閉状態」とも言う）を一つずつ確かめなければならなかった。
本考案では、このような現状を鑑み、特殊車両における設備開閉状態を一目で把握することができる特殊車両用警告表示パネルを提供することを目的とする。
【課題を解決するための手段】
【０００６】
本考案は、前述したような従来技術における課題及び目的を達成するために考案されたものであって、本考案の特殊車両用警告表示パネルは、
特殊車両に取り付けられ設備開閉状態を表示する特殊車両用警告表示パネルであって、
開閉状態が監視される前記特殊車両の設備に対応した複数の点灯位置を含む特殊車両のイラストが描かれた表示板と、
前記表示板の裏面側に配置された警告制御板と、
前記複数の点灯位置と対応した位置に配置された複数の光源と、
を備え、
前記特殊車両の設備の開閉状態に基づいて、開状態である前記特殊車両の設備に対応する点灯位置だけが点灯するように、前記警告制御板によって、前記複数の光源の点灯が制御されることを特徴とする。
【０００７】
このように構成することによって、特殊車両のように多数のドアや拡幅部、複数のジャッキなどを備えている場合であっても、警告表示パネルの対応した点灯位置が点灯するため、各種ドアの閉め忘れや、拡幅部やジャッキの格納忘れなどが生じている場合に、どの設備に問題が生じているかを一目で把握することができる。
【０００８】
また、本考案の特殊車両用警告表示パネルは、前記警告制御基板が、警報音発生手段を備えることが好ましい。
このように構成することによって、例えば、ドアの閉め忘れ、拡幅部やジャッキなどのし格納忘れなどがあった場合に、該当箇所に対応する点灯位置が点灯するとともに、警報音によっても報知することができるため、運転手などのユーザーは、ドアの閉め忘れ、拡幅部やジャッキなどの格納忘れなどが生じていることを確実に気がつくことができる。
【考案の効果】
【０００９】
本考案の特殊車両用警告表示パネルによれば、特殊車両のように多数のドアや拡幅部、複数のジャッキなどを備えている場合であっても、警告表示パネルの対応した点灯位置が点灯するため、各種ドアの閉め忘れや、拡幅部やジャッキの格納忘れなどを一目で把握することができる。
【図面の簡単な説明】
【００１０】
【図１】図１は、本考案に係る特殊車両用警告表示パネルの一実施例を示す概略図である。
【図２】図２は、図１の特殊車両用警告表示パネルから表示板を取り除いた状態を示す内部構造図である。
【考案を実施するための形態】
【００１１】
以下、本考案の実施の形態を図面に基づいてより詳細に説明する。
図１は、本考案に係る特殊車両用警告表示パネルの一実施例を示す概略図、図２は、図１の特殊車両用警告表示パネルから表示板を取り除いた状態を示す内部構造図である。
【００１２】
本実施例において、特殊車両用警告表示パネル１０は、特殊車両の運転席正面上のコンソール部に備え付けられている。
特殊車両用警告表示パネル１０は、幅方向に長く形成された表示板１２と、表示板１２の裏面側であって、特殊車両用表示パネル１０の内部に散在して設けられた複数の光源１４、複数の光源１４の点灯制御を行うための警告制御基板１６とから構成されている。
【００１３】
図１に示すように、表示板１２には、特装車の左側面、背面、右側面の３面図のイラストが描かれている。
なお、表示板１２に描かれたイラストにおいて、特殊車両のドアやジャッキなどの開閉状態が監視される設備の位置と対応する位置、すなわち、点灯位置１２ａ〜１２ｚが透光性の材料によって形成されている。
【００１４】
もしくは、表示板１２全体を透光性材料によって形成し、点灯位置１２ａ〜１２ｚ以外に、例えば、非透光性の塗料を塗布するなどして、点灯位置１２ａ〜１２ｚのみが点灯するように構成してもよい。
【００１５】
そして、表示板１２の裏面（透光性の表示板１２の運転席側から見える面を「表面」といい、逆の面を「裏面」という。以下、本明細書において同様）側の点等位置１２ａ〜１２ｚに対応した位置に、複数の光源１４が配置されている。
【００１６】
なお、複数の光源１４は、点灯位置１２ａ〜１２ｚに対応する光源を独立して点灯させることができるように構成されていれば特に限定はされず、例えば、ハロゲン灯やＬＥＤランプなどを用いることができる。
【００１７】
本実施例においては、図２に示すように、警告制御基板１６上の点灯位置１２ａ〜１２ｚに対応する位置に、複数の光源１４としてＬＥＤランプが取り付けられており、例えば、ドアの開閉状態や拡幅部やジャッキなどの格納状態（設備の開閉状態）を検知する装置（図示せず）からの信号に基づいて、開状態（すなわち、ドアであれば閉め忘れの状態、拡幅部やジャッキであれば格納忘れの状態）である特殊車両の設備に対応する点灯位置だけが点灯するように、警告制御基板１６は複数の光源１４の点灯制御を行うように構成されている。
【００１８】
また、警告制御基板１６には、警報音発生手段１８を備えることができる。このように、警報音発生手段１８を備えることによって、例えば、ドアの閉め忘れ、拡幅部やジャッキなどの格納忘れなどがあった場合に、該当箇所に対応する点灯位置が点灯するとともに、警報音によっても報知することができるため、運転手などのユーザーは確実に、ドアの閉め忘れ、拡幅部やジャッキなどの格納忘れに気がつくことができる。
【００１９】
なお、特殊車両のパーキングブレーキと連動するように構成することによって、ドアの閉め忘れ、拡幅部やジャッキなどの格納忘れの状態で、パーキングブレーキを解除した際に、警報音発生手段１８から警報音を発生させることができる。このため、ドアの閉め忘れ、拡幅部やジャッキなどの格納忘れの状態で、運転手が誤って車両を動かしてしまうことがないように警報を発することができる。
【００２０】
このように、本考案に係る特殊車両用警告表示パネルによれば、特殊車両のように多数のドアや拡幅部、複数のジャッキなどを備えている場合であっても、警告表示パネルの対応した点灯位置が点灯するため、各種ドアの閉め忘れや、拡幅部やジャッキの格納忘れなどを一目で把握させることができる。
【００２１】
以上、本考案の好ましい実施の態様を説明してきたが、本考案はこれに限定されることはなく、例えば、上記実施例では、特殊車両用警告表示パネルは、特殊車両の運転席正面上のコンソール部に取り付けられているが、特殊車両用警告表示パネルの取り付け場所は特に限定されず、特殊車両の外装に取り付けてもよいなど、本考案の目的を逸脱しない範囲で種々の変更が可能である。
【符号の説明】
【００２２】
１０      特殊車両用警告表示パネル
１２      表示板
１２ａ〜１２ｚ  点灯位置
１４      光源
１６      警告制御基板
１８      警報音発生手段
【図１】
0003172215.tif 000003
【図２】
0003172215.tif 000004